(57)【要約】      （修正有）【課題】的に弾丸が命中すると、雷管の火薬を叩き発火し大きな爆音が発されて、玩具の銃でありながら実銃のような爽快感を楽しめる玩具用銃の標的を提供する。【解決手段】的ａに下方部に嵌合孔１が形成され、撃針２付き打撃板ｂに、前方部に嵌合孔１に嵌合自在な係止部６が形成されていると共に撃針２が設置される。支持板ｃの後方部に雷管３が設置され、支持板ｃの前方部と的ａの下方端部がピン連結４され、打撃板ｂの後方部と支持板ｃがバネ入り回転軸５により回転自在で、弾丸が的ａに命中した際、打撃板ｂが的ａの嵌合孔１から解放され撃針２が雷管３を叩いて発火される。【選択図】図５
0003232798.tif 000002
【実用新案登録請求の範囲】
【請求項１】
的と、撃針付き打撃板と、雷管付き支持板とからなる玩具用銃の標的であって、
前記的には、下方部に嵌合孔が形成され、
前記撃針付き打撃板には、前方部に前記嵌合孔に嵌合自在な係止部が形成されていると共に、撃針が設置され、
前記支持板には、後方部に雷管が設置され、
前記支持板の前方部と前記的の下方端部が、ピン連結され、前記打撃板の後方部と前記支持板が、バネ入り回転軸によって内方に回転自在に設けられており、
弾丸が前記的に命中した際、打撃板が的の嵌合孔から解放され同打撃板の撃針が雷管を叩いて発火されることを特徴とする、玩具用銃の標的。
【請求項２】
前記的の係止部が、前記的の嵌合孔に嵌合する係止状態で、前記支持板の前方部の前記ピンによって起立されることを特徴とする、請求項１に記載の玩具用銃の標的。
【請求項３】
前記的と、撃針付き打撃板と、雷管付き支持板とからなる玩具用銃の標的であって、
前記的には、下方部に嵌合孔が形成され、かつ前記嵌合孔の更に下方部に下方嵌合孔が形成され、
前記打撃板には、前方部に前記嵌合孔に嵌合自在な係止部が形成されていると共に、撃針が設置され、
前記支持板には、後方部に雷管が設置され、
前記打撃板は、前記支持板の上面部に設置されて接続するベース板の基端部で、バネ入り回転軸を介して内方に回転自在なように支持板に設けられ、前記ベース板の前方部に、前記下方嵌合孔に嵌合自在な下方係止部が突設されており、
弾丸が前記的に命中した際、打撃板が的の嵌合孔及び下方嵌合孔から解放され跳び上がると共に、同打撃板の撃針が雷管を叩いて発火されることを特徴とする、玩具用銃の標的。
【請求項４】
前記打撃板の係止部の長さが、前記ベース板の係止部の長さより前記バネ入り回転軸を起点にして長く形成されていることを特徴とする、請求項３に記載の玩具用銃の標的。
【請求項５】
前記打撃板の撃針の前記バネ入り回転軸からの距離と、前記支持板の雷管の前記バネ入り回転軸からの距離が、同じに設定されていることを特徴とする、請求項１又は３又は４に記載の玩具用銃の標的。
【請求項６】
前記打撃板の撃針と、前記支持板の雷管は、相互に合致する位置でそれぞれ１個又は複数個設置されていることを特徴とする、請求項１又は３又は４又は５に記載の玩具用銃の標的。
【考案の詳細な説明】
【技術分野】
【０００１】
本考案は、玩具用銃の標的の技術分野に属し、さらに言えば、的に弾丸が命中すると、雷管の火薬を叩いて発火し大きな爆音が発せられて嗜好性を高めた玩具用銃に使用される標的に関する。
【背景技術】
【０００２】
従来、玩具銃用標的として、下記特許文献１に係る実開平１−７４４９３号公報に記載の技術が公知である。
【０００３】
この特許文献１に記載の玩具銃用標的は、垂直基盤部２及び弾丸受集部４を備えてなる標的基体１とその表面に適宜的表示１１を備えた的体１０と、適宜粘着性を備えた透明なゴム製粘着体１５とから構成されている。そして、標的基体１の垂直基盤部２に、的体１０と粘着体１５とを着脱自在に装着できるように形成されている。更に、粘着体１５に当った弾丸Ｂは、自重により粘着体１５の粘着表面を下方に向って転動して、標的基体１下部の弾丸受集部４内に収容されるように形成されている。
【先行技術文献】
【特許文献】
【０００４】
【特許文献１】実開平１−７４４９３号公報
【考案の概要】
【考案が解決しようとする課題】
【０００５】
本考案が解決しようとする第１の課題は、前記特許文献１やその他従来にはないもので、的に弾丸が命中すると、バネ入り回転軸を起点として、衝撃で後方に傾倒し、打撃板の撃針が支持板に形成されている雷管の火薬を叩き発火し、大きな爆音が発せられて、玩具の銃でありながら実銃のような爽快感を楽しむことができるようにすることである。
【０００６】
また、本考案が解決しようとする第２の課題は、前記的に弾丸が命中すると、的が傾倒すると同時に、上方に跳ね上がって、弾丸の命中時に発火の音や光だけでなく、視覚的にも判り易くすることができるようにして嗜好性を高めることである。
【課題を解決するための手段】
【０００７】
課題を解決するための手段として、請求項１に記載の考案は、的ａと、撃針２付き打撃板ｂと、雷管３付き支持板ｃとからなる玩具用銃の標的Ａであって、
前記的ａには、下方部に嵌合孔１が形成され、
前記撃針２付き打撃板ｂには、前方部に前記嵌合孔１に嵌合自在な係止部６が形成されていると共に、撃針２が設置され、
前記支持板ｃには、後方部に雷管３が設置され、
前記支持板ｃの前方部と前記的ａの下方端部が、ピン連結（４）され、前記打撃板ｂの後方部と前記支持板ｃが、バネ入り回転軸５によって内方に回転自在に設けられており、
弾丸７が前記的ａに命中した際、打撃板ｂが的ａの嵌合孔１から解放され同打撃板ｂの撃針２が雷管３を叩いて発火されることを特徴とする、玩具用銃の標的である。
【０００８】
請求項２に記載の考案は、前記的ａの係止部６が、前記的ａの嵌合孔１に嵌合する係止状態で、前記支持板ｃの前方部の前記ピン４によって起立されることを特徴とする、請求項１に記載の玩具用銃の標的である。
【０００９】
請求項３に記載の考案は、前記的ａと、撃針２付き打撃板ｂと、雷管３付き支持板ｃとからなる玩具用銃の標的Ａであって、
前記的ａには、下方部に嵌合孔１が形成され、かつ前記嵌合孔１の更に下方部に下方嵌合孔１ａが形成され、
前記打撃板ｂには、前方部に前記嵌合孔１に嵌合自在な係止部６が形成されていると共に、撃針２が設置され、
前記支持板ｃには、後方部に雷管３が設置され、
前記打撃板ｂは、前記支持板ｃの上面部に設置されて接続するベース板ｄの基端部で、バネ入り回転軸５を介して内方に回転自在なように支持板ｃに設けられ、前記ベース板ｄの前方部に前記下方嵌合孔１ａに嵌合自在な下方係止部６ａが突設されており、
弾丸７が前記的ａに命中した際、打撃板ｂが的ａの嵌合孔１及び下方嵌合孔１ａから解放され跳び上がると共に、同打撃板ｂの撃針２が雷管３を叩いて発火されることを特徴とする、玩具用銃の標的である。
【００１０】
請求項４に記載の考案は、前記打撃板ｂの係止部６の長さが、前記ベース板ｄの係止部６ａの長さより、前記バネ入り回転軸５を起点にして長く形成されていることを特徴とする、請求項３に記載の玩具用銃の標的である。
【００１１】
請求項５に記載の考案は、前記打撃板ｂの撃針２の前記バネ入り回転軸５からの距離と、前記支持板ｃの雷管３の前記バネ入り回転軸５からの距離が、同じに設定されていることを特徴とする、請求項１又は３又は４に記載の玩具用銃の標的である。
【００１２】
請求項６に記載の考案は、前記打撃板ｂの撃針２と、前記支持板ｃの雷管３は、相互に合致する位置でそれぞれ１個又複数個設置されていることを特徴とする、請求項１又は３又は４又は５に記載の玩具用銃の標的である。
【考案の効果】
【００１３】
本考案は、上述のとおりの構成なので、的に弾丸が命中すると、バネ入り回転軸を起点として、衝撃で後方に傾倒し、打撃板の撃針が支持板に形成されている雷管の火薬を叩き発火し、大きな爆音が発せられて、玩具の銃でありながら実銃のような爽快感を楽しむことができる。
【００１４】
また本考案は、的に弾丸が命中すると、的が傾倒すると同時に上方に跳ね上がって、弾丸の命中時に発火の音や光だけでなく、視覚的にも判り易くすることができ嗜好性の向上に寄与する。
【図面の簡単な説明】
【００１５】
【図１】玩具用銃の標的の第１実施例を示す正面図である。
【００１６】
【図２】図１の平面図である。
【００１７】
【図３】図１の右側面図である。
【００１８】
【図４】図３の状態から弾丸が命中すると、的が若干傾倒し、打撃板が外れた状態を示す側面図である。
【００１９】
【図５】図４の状態から的が傾倒し打撃板がバネ入り回転軸によって支持板に向う状態の右側面図である。
【００２０】
【図６】図５の状態から撃針が雷管の火薬を叩き発火した状態の右側面図である。
【００２１】
【図７】第２実施例の玩具用銃の標的の組立前を示す斜視図である。
【００２２】
【図８】図７の状態から組立てられたセッティング状態を示す斜視図である。
【００２３】
【図９】図８におけるセッティング状態から、的に弾丸が命中した状態を示す右側面図である。
【００２４】
【図１０】図９の状態から的が打撃板から離脱して上方に跳ね上ったときの右側面図である。
【００２５】
【図１１】図１０の状態から打撃板の撃針が雷管の火薬を叩き発火した状態の右側面図である。
【考案を実施するための最良の形態】
【００２６】
本考案の玩具用銃の標的の第１実施例について、以下図１〜図６にしたがって説明する。
【００２７】
図において、符号Ａは玩具用銃の標的を示しており、的ａと、撃針２付き打撃板ｂと、雷管３付き支持板ｃとから構成されている。
【００２８】
この的ａは、全体形状がうちわのように円形の板状に形成されており、下方部に水平な嵌合孔１が２つ形成されているが、全体形状や嵌合孔１の個数はこれに限定されるものではない（図１〜図４）。
【００２９】
さらに前記的ａの後述する第２実施例（図７〜図１１）のタイプもあるが、それは前記的ａの下方部には、水平な２つの上方位置に形成の嵌合孔１と前記嵌合孔１の下方部位置に形成の１つの下方嵌合孔１ａが形成されている。このように上方と下方に嵌合孔１、１ａを形成した理由は、組立て後、弾丸７が的ａに命中した際に、該的ａが打撃板ｂとベース板ｄから解放されて離脱し、図１０に示すように上方に跳ね上がるようにしたためである。
【００３０】
図において、符号ｂは撃針２付き打撃板を示しており、前方部に係止部６が複数突設し、前記係止部６の後方部に撃針２が２つ並列されている。
【００３１】
また、図において、符号ｃは後方部に火薬挿入用の雷管３が複数並列状に形成されている支持板を示している。
【００３２】
さらに図において、符号ｄはベース板を示しており、そのベース板ｄの前方部には下方係止部６ａが突状に形成されている。
【００３３】
加えて、前記打撃板ｂの撃針２の設置位置と、前記支持板ｃの雷管３の設置位置は、図３に図示するように、前記両板が前記バネ入り回転軸５を起点として同じに形成されている。撃針２が雷管３を確実に叩き付けるためである。
【００３４】
前記のようにして形成された前記支持板ｃの前方部と、前記的ａの下方端部が、回動可能なピン４によって連結され、前記打撃板ｂの後方部と前記支持板ｃを、前記打撃板ｂの係止部６が、前記的ａの嵌合孔１に嵌合するように、バネ入り回転軸５によって接続し、組立てられている（図１、図３）。
【００３５】
そして、前記的ａと前記打撃板ｂと支持板ｃが、前記バネ入り回転軸５によって接続され、組立てられたとき、図３に図示したように、前記的ａが前記支持板ｃに対し、やや後方に若干傾斜する程度で垂直状に起立して組立てた構成とされている。
【００３６】
すなわち、前記支持板ｃの前方部と前記的ａの下方端部が、ピン連結（４）され、打撃板ｂの後方部と支持板ｃが、バネ入り回転軸５によって回転自在に設けられているため、弾丸７が的ａに命中すると、打撃板ｂが的ａの嵌合孔１から解放されて同打撃板ｂの撃針２が雷管３を叩いて発火すように構成されている。
【００３７】
次に、図７〜図１１に示した第２実施例の玩具用銃の標的Ａについて説明する。
この第２実施例の標的Ａは、図７、８、９に図示したように、前記的ａと、前記打撃板ｂと、前記支持板ｃと、前記ベース板ｄとから構成されている。上述した第１実施例で的ａと支持板ｃを連結するピン４は使用されない。
【００３８】
さらに詳述すると、前記各構成部材が、図８に図示するように前記支持板ｃに対し、前記打撃板ｂと前記上方支持板ｄが、前記的ａの嵌合孔１と、更に下方部の下方嵌合孔１ａに、係止部６、６ａが嵌合し、バネ入り回転軸５を介して、接続し組立てられている。そして前記的ａが、セッティング時には前記支持板ｃに対し、垂直状に起立され、弾丸７が命中すると、それ自体が離脱するように構成されている（図１０）。
【００３９】
すなわち、打撃板ｂは、支持板ｃの上面部に設置されて接続するベース板ｄの基端部で、バネ入り回転軸５を介して回転自在なように支持板ｃに設けられ、ベース板ｄの前方部に下方嵌合孔１ａに嵌合自在な下方係止部６ａが突設されており、弾丸７が的ａに命中すると、打撃板ｂが的ａの嵌合孔１及び下方嵌合孔１ａから解放され跳び上がると共に、打撃板ｂの撃針２が雷管３を叩いて発火するように構成されている。
【００４０】
上述した玩具用銃の標的Ａの使用態様につき説明する。
第１実施例の玩具用銃の標的Ａに、ＢＢ弾等の弾丸７が発射され命中すると、図３の状態から図４に示したように前記打撃板ｂが前記的ａから解放されて離脱し、図５、６に示すように撃針２が雷管３の火薬を叩き発火し、大きな爆発音が発せられる。
【００４１】
或いは前記した各構成部材からなる第２実施例の玩具用銃の標的Ａの的ａに、弾丸７が発射され命中すると、図９に図示するように、前記的ａが嵌合孔１を軸に後方に倒れた後、つづいて下方嵌合孔１ａがベース板ｄの下方係止部６ａから解放されて離脱し、図１０に図示するように前記的ａが上方に跳ね上ると同時に、撃針２が雷管３の火薬を叩き大きな爆発音が発せられる（図１１）。
【００４２】
従って、第２実施例の玩具用銃の標的Ａは、前記的ａに命中する弾丸７が、第１実施例の的ａに弾丸７が命中するときと異なり、第１実施例の的ａの表面に対し、裏面に命中するように使用するのが好ましい（図９、図１０参照）。
なお、上述した標的Ａは、雷管３に火薬を詰め替えれば、何回でも使用できる。
【００４３】
以上本考案の実施例を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００４４】
Ａ        標的
ａ        的
ｂ        打撃板
ｃ        支持板
ｄ        ベース板
１        嵌合孔            
１ａ      下方嵌合孔
２        撃針
３        雷管（火薬）
４        ピン
５        バネ入り回転軸
６        係止部
６ａ      下方係止部
７        弾丸
【図１】
0003232798.tif 000003
【図２】
0003232798.tif 000004
【図３】
0003232798.tif 000005
【図４】
0003232798.tif 000006
【図５】
0003232798.tif 000007
【図６】
0003232798.tif 000008
【図７】
0003232798.tif 000009
【図８】
0003232798.tif 000010
【図９】
0003232798.tif 000011
【図１０】
0003232798.tif 000012
【図１１】
0003232798.tif 000013
【手続補正書】
【提出日】令和3年4月15日(2021.4.15)
【手続補正１】
【補正対象書類名】実用新案登録請求の範囲
【補正対象項目名】全文
【補正方法】変更
【補正の内容】
【実用新案登録請求の範囲】
【請求項１】
的と、撃針付き打撃板と、雷管付き支持板とからなる玩具用銃の標的であって、
前記的には、下方部に嵌合孔が形成され、
前記撃針付き打撃板には、前方部に前記嵌合孔に嵌合自在な係止部が形成されていると共に、撃針が設置され、
前記支持板には、後方部に雷管が設置され、
前記支持板の前方部と前記的の下方端部が、ピン連結され、前記打撃板の後方部と前記支持板が、バネ入り回転軸によって内方に回転自在に設けられており、
弾丸が前記的に命中した際、打撃板が的の嵌合孔から解放され同打撃板の撃針が雷管を叩いて発火されることを特徴とする、玩具用銃の標的。
【請求項２】
前記打撃板の係止部が、前記的の嵌合孔に嵌合する係止状態で、前記的が前記支持板の前方部の前記ピンによって起立されることを特徴とする、請求項１に記載の玩具用銃の標的。
【請求項３】
的と、撃針付き打撃板と、雷管付き支持板とからなる玩具用銃の標的であって、
前記的には、下方部に嵌合孔が形成され、かつ前記嵌合孔の更に下方部に下方嵌合孔が形成され、
前記打撃板には、前方部に前記嵌合孔に嵌合自在な係止部が形成されていると共に、撃針が設置され、
前記支持板には、後方部に雷管が設置され、
前記打撃板は、前記支持板の上面部に設置されて接続するベース板の基端部で、バネ入り回転軸を介して内方に回転自在なように支持板に設けられ、前記ベース板の前方部に、前記下方嵌合孔に嵌合自在な下方係止部が突設されており、
弾丸が前記的に命中した際、打撃板が的の嵌合孔及び下方嵌合孔から解放され跳び上がると共に、同打撃板の撃針が雷管を叩いて発火されることを特徴とする、玩具用銃の標的。
【請求項４】
前記打撃板の係止部の長さが、前記ベース板の係止部の長さより前記バネ入り回転軸を起点にして長く形成されていることを特徴とする、請求項３に記載の玩具用銃の標的。
【請求項５】
前記打撃板の撃針の前記バネ入り回転軸からの距離と、前記支持板の雷管の前記バネ入り回転軸からの距離が、同じに設定されていることを特徴とする、請求項１又は３又は４に記載の玩具用銃の標的。
【請求項６】
前記打撃板の撃針と、前記支持板の雷管は、相互に合致する位置でそれぞれ１個又は複数個設置されていることを特徴とする、請求項１又は３又は４又は５に記載の玩具用銃の標的。
【手続補正２】
【補正対象書類名】明細書
【補正対象項目名】０００８
【補正方法】変更
【補正の内容】
【０００８】
請求項２に記載の考案は、前記打撃板ｂの係止部６が、前記的ａの嵌合孔１に嵌合する係止状態で、前記的ａが前記支持板ｃの前方部の前記ピン４によって起立されることを特徴とする、請求項１に記載の玩具用銃の標的である。
【手続補正３】
【補正対象書類名】明細書
【補正対象項目名】０００９
【補正方法】変更
【補正の内容】
【０００９】
請求項３に記載の考案は、的ａと、撃針２付き打撃板ｂと、雷管３付き支持板ｃとからなる玩具用銃の標的Ａであって、
前記的ａには、下方部に嵌合孔１が形成され、かつ前記嵌合孔１の更に下方部に下方嵌合孔１ａが形成され、
前記打撃板ｂには、前方部に前記嵌合孔１に嵌合自在な係止部６が形成されていると共に、撃針２が設置され、
前記支持板ｃには、後方部に雷管３が設置され、
前記打撃板ｂは、前記支持板ｃの上面部に設置されて接続するベース板ｄの基端部で、バネ入り回転軸５を介して内方に回転自在なように支持板ｃに設けられ、前記ベース板ｄの前方部に前記下方嵌合孔１ａに嵌合自在な下方係止部６ａが突設されており、
弾丸７が前記的ａに命中した際、打撃板ｂが的ａの嵌合孔１及び下方嵌合孔１ａから解放され跳び上がると共に、同打撃板ｂの撃針２が雷管３を叩いて発火されることを特徴とする、玩具用銃の標的である。